【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
被写体を撮影するカメラを含む撮影手段と、
前記カメラの位置から第１の距離にある第１の背景媒体と、
前記カメラの位置から前記第１の距離より長い第２の距離にある第２の背景媒体と、
前記第１および第２の背景媒体から前記被写体の撮影時に背景として用いる背景媒体を選択する選択手段と、
前記被写体を前方から照らす第１の照明と、
前記被写体の撮影時に前記第１の照明の光量を制御する制御手段とを備え、
前記制御手段は、前記第１の背景媒体を前記背景として用いる場合に比較して、前記第２の背景媒体を前記背景として用いる場合における前記第１の照明の光量を大きくする、写真自動販売機。
【請求項２】
前記第１の背景媒体の大きさは、前記第２の背景媒体の大きさより小さいことを特徴とする、請求項１に記載の写真自動販売機。
【請求項３】
被写体を撮影するカメラを含む撮影手段と、
撮影空間を仕切るための背景媒体と、
前記被写体の撮影時に前記背景媒体を背景として用いるか否かを選択する選択手段と、
前記被写体を前方から照らす第１の照明と、
前記被写体の撮影時に前記第１の照明の光量を制御する制御手段とを備え、
前記制御手段は、前記背景媒体を前記背景として用いる場合に比較して、前記背景媒体を前記背景として用いない場合における前記第１の照明の光量を大きくする、写真自動販売機。
【請求項４】
前記カメラの位置からそれぞれ異なる距離にある複数の第２の照明をさらに備え、
前記制御手段は、前記カメラの位置から前記被写体の撮影時の背景となる部材までの距離に応じて、前記複数の第２の照明のうち対応するもののみを点灯させる、請求項１〜３のいずれか１項に記載の写真自動販売機。
【請求項５】
前記カメラの位置から前記被写体の撮影時の背景となる部材までの距離に関する情報を取得して保持する保持手段と、
前記カメラによって撮影された撮像画像に対する編集操作を受付ける編集手段とをさらに備え、
前記編集手段は、前記保持手段が保持する情報に応じて、前記編集操作を受付けるために表示する編集画面を変更する、請求項１〜４のいずれか１項に記載の写真自動販売機。
【請求項６】
被写体を撮影するカメラを含む撮影手段と、撮影時に前記被写体を前方から照らす照明手段とを含む写真自動販売機を用いた写真撮影方法であって、
前記カメラの位置から第１の距離にある第１の背景媒体と、前記カメラの位置から前記第１の距離より長い第２の距離にある第２の背景媒体とのうち前記被写体の撮影時に背景として用いる背景媒体を選択するステップと、
前記被写体の撮影時に前記照明手段の光量を制御するステップとを備え、
前記光量を制御するステップは、前記第１の背景媒体を前記背景として用いる場合に比較して、前記第２の背景媒体を前記背景として用いる場合における前記第１の照明の光量を大きくするステップを含む、写真撮影方法。
【請求項７】
被写体を撮影するカメラを含む撮影手段と、撮影時に前記被写体を前方から照らす照明手段とを含む写真自動販売機を用いた写真撮影方法であって、
撮影空間を仕切るための背景媒体を前記被写体の撮影時に背景として用いるか否かを選択するステップと、
前記被写体の撮影時に前記照明手段の光量を制御するステップとを備え、
前記光量を制御するステップは、前記背景媒体を前記背景として用いる場合に比較して、前記背景媒体を前記背景として用いない場合における前記第１の照明の光量を大きくするステップを含む、写真撮影方法。
【請求項８】
被写体を撮影するカメラを含む撮影手段と、撮影時に前記被写体を前方から照らす照明手段とを含む写真自動販売機を制御するための写真撮影プログラムであって、
前記カメラの位置から第１の距離にある第１の背景媒体と、前記カメラの位置から前記第１の距離より長い第２の距離にある第２の背景媒体とのうち前記被写体の撮影時に背景として用いる背景媒体を選択するステップと、
前記被写体の撮影時に前記照明手段の光量を制御するステップとをコンピュータに実行させ、
前記光量を制御するステップは、前記第１の背景媒体を前記背景として用いる場合に比較して、前記第２の背景媒体を前記背景として用いる場合における前記第１の照明の光量を大きくするステップを含む、写真撮影プログラム。
【請求項９】
被写体を撮影するカメラを含む撮影手段と、撮影時に前記被写体を前方から照らす照明手段とを含む写真自動販売機を制御するための写真撮影プログラムであって、
撮影空間を仕切るための背景媒体を前記被写体の撮影時に背景として用いるか否かを選択するステップと、
前記被写体の撮影時に前記照明手段の光量を制御するステップとをコンピュータに実行させ、
前記光量を制御するステップは、前記背景媒体を前記背景として用いる場合に比較して、前記背景媒体を前記背景として用いない場合における前記第１の照明の光量を大きくするステップを含む、写真撮影プログラム。
【手続補正２】
【補正対象書類名】明細書
【補正対象項目名】発明の名称
【補正方法】変更
【補正の内容】
【発明の名称】写真自動販売機、写真撮影方法および写真撮影プログラム
【手続補正３】
【補正対象書類名】明細書
【補正対象項目名】００１７
【補正方法】変更
【補正の内容】
【００１７】
上記目的を達成するためこの発明のある局面に従うと、写真自動販売機は、被写体を撮影するカメラを含む撮影手段と、カメラの位置から第１の距離にある第１の背景媒体と、カメラの位置から第１の距離より長い第２の距離にある第２の背景媒体と、第１および第２の背景媒体から被写体の撮影時に背景として用いる背景媒体を選択する選択手段と、被写体を前方から照らす第１の照明と、被写体の撮影時に第１の照明の光量を制御する制御手段とを備え、制御手段は、第１の背景媒体を背景として用いる場合に比較して、第２の背景媒体を背景として用いる場合における第１の照明の光量を大きくする。
【手続補正４】
【補正対象書類名】明細書
【補正対象項目名】００１８
【補正方法】変更
【補正の内容】
【００１８】
好ましくは第１の背景媒体の大きさは、第２の背景媒体の大きさより小さいことを特徴とする。
【手続補正５】
【補正対象書類名】明細書
【補正対象項目名】００１９
【補正方法】変更
【補正の内容】
【００１９】
この発明の他の局面に従うと、写真自動販売機は、被写体を撮影するカメラを含む撮影手段と、撮影空間を仕切るための背景媒体と、被写体の撮影時に背景媒体を背景として用いるか否かを選択する選択手段と、被写体を前方から照らす第１の照明と、被写体の撮影時に第１の照明の光量を制御する制御手段とを備え、制御手段は、背景媒体を背景として用いる場合に比較して、背景媒体を背景として用いない場合における第１の照明の光量を大きくする。
【手続補正６】
【補正対象書類名】明細書
【補正対象項目名】００２０
【補正方法】変更
【補正の内容】
【００２０】
好ましくは写真自動販売機は、カメラの位置からそれぞれ異なる距離にある複数の第２の照明をさらに備え、制御手段は、カメラの位置から被写体の撮影時の背景となる部材までの距離に応じて、複数の第２の照明のうち対応するもののみを点灯させる。
【手続補正７】
【補正対象書類名】明細書
【補正対象項目名】００２１
【補正方法】変更
【補正の内容】
【００２１】
好ましくは写真自動販売機は、カメラの位置から被写体の撮影時の背景となる部材までの距離に関する情報を取得して保持する保持手段と、カメラによって撮影された撮像画像に対する編集操作を受付ける編集手段とをさらに備え、編集手段は、保持手段が保持する情報に応じて、編集操作を受付けるために表示する編集画面を変更する。
【手続補正８】
【補正対象書類名】明細書
【補正対象項目名】００２２
【補正方法】変更
【補正の内容】
【００２２】
この発明のさらに他の局面に従うと、被写体を撮影するカメラを含む撮影手段と、撮影時に被写体を前方から照らす照明手段とを含む写真自動販売機を用いた写真撮影方法であって、カメラの位置から第１の距離にある第１の背景媒体と、カメラの位置から第１の距離より長い第２の距離にある第２の背景媒体とのうち被写体の撮影時に背景として用いる背景媒体を選択するステップと、被写体の撮影時に照明手段の光量を制御するステップとを備え、光量を制御するステップは、第１の背景媒体を背景として用いる場合に比較して、第２の背景媒体を背景として用いる場合における第１の照明の光量を大きくするステップを含む。
【手続補正９】
【補正対象書類名】明細書
【補正対象項目名】００２３
【補正方法】変更
【補正の内容】
【００２３】
この発明のさらに他の局面に従うと、被写体を撮影するカメラを含む撮影手段と、撮影時に被写体を前方から照らす照明手段とを含む写真自動販売機を用いた写真撮影方法であって、撮影空間を仕切るための背景媒体を被写体の撮影時に背景として用いるか否かを選択するステップと、被写体の撮影時に照明手段の光量を制御するステップとを備え、光量を制御するステップは、背景媒体を背景として用いる場合に比較して、背景媒体を背景として用いない場合における第１の照明の光量を大きくするステップを含む。
【手続補正１０】
【補正対象書類名】明細書
【補正対象項目名】００２４
【補正方法】変更
【補正の内容】
【００２４】
この発明のさらに他の局面に従うと、被写体を撮影するカメラを含む撮影手段と、撮影時に被写体を前方から照らす照明手段とを含む写真自動販売機を制御するための写真撮影プログラムであって、カメラの位置から第１の距離にある第１の背景媒体と、カメラの位置から第１の距離より長い第２の距離にある第２の背景媒体とのうち被写体の撮影時に背景として用いる背景媒体を選択するステップと、被写体の撮影時に照明手段の光量を制御するステップとをコンピュータに実行させ、光量を制御するステップは、第１の背景媒体を背景として用いる場合に比較して、第２の背景媒体を背景として用いる場合における第１の照明の光量を大きくするステップを含む。
【手続補正１１】
【補正対象書類名】明細書
【補正対象項目名】００２５
【補正方法】変更
【補正の内容】
【００２５】
この発明のさらに他の局面に従うと、被写体を撮影するカメラを含む撮影手段と、撮影時に被写体を前方から照らす照明手段とを含む写真自動販売機を制御するための写真撮影プログラムであって、撮影空間を仕切るための背景媒体を被写体の撮影時に背景として用いるか否かを選択するステップと、被写体の撮影時に照明手段の光量を制御するステップとをコンピュータに実行させ、光量を制御するステップは、背景媒体を背景として用いる場合に比較して、背景媒体を背景として用いない場合における第１の照明の光量を大きくするステップを含む。
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】